(57)【要約】【課題】情報を送信したいメールグループを、簡単かつ容易に、しかも正確にマークシート部で特定して確実にメールする。【解決手段】ＦＡＸ送信システムは、マークシート部１Ａと表示部１Ｂを有するＦＡＸシート１をＦＡＸ機２で読み取ってＦＡＸサーバ３に伝送し、ＦＡＸサーバ３が読み取り情報で特定されるメールグループの携帯電話機５にメール情報をメールする。ＦＡＸシート１のマークシート部１Ａは、ＦＡＸ機２が読み取りできないドロップアウトインクでメールグループ名１４を印刷している複数のメールグループ特定領域１０を有する。ＦＡＸ送信システムは、ＦＡＸ機２が読み取りできる識別色でメールグループ特定領域１０を着色したＦＡＸシート１をＦＡＸ機２で読み取ってＦＡＸサーバ３に伝送し、ＦＡＸサーバ３が識別色で着色された送信グループ特定領域１１を認識して、特定されたメールグループの携帯電話機５にメール情報を送信する。【選択図】図１
2008193615.tif 000002
【特許請求の範囲】
【請求項１】
メール情報を送信するメールグループを特定するマークシート部(1A)とメール情報の表示部(1B)とを有するＦＡＸシート(1)と、このＦＡＸシート(1)のマークシート部(1A)と表示部(1B)とを読み取って、入力される電話番号で特定されるＦＡＸサーバ(3)に電話回線(4)を介してマークシート部(1A)と表示部(1B)の読み取り情報を伝送するＦＡＸ機(2)と、このＦＡＸ機(2)から伝送される読み取り情報のマークシート部(1A)で特定されるメールグループの携帯電話機(5)に、記憶しているメールアドレスから、ＦＡＸシート(1)の表示部(1B)に表示されるメール情報をインターネット(6)を介してメールするＦＡＸサーバ(3)とを備えるＦＡＸ送信システムにおいて、
ＦＡＸシート(1)のマークシート部(1A)が、複数のメールグループ特定領域(10)を有すると共に、各々のメールグループ特定領域(10)にはＦＡＸ機(2)が読み取りできないドロップアウトインクでもって、メール情報を送信するメールグループ名(14)を印刷しており、
メールグループ特定領域(10)をＦＡＸ機(2)の読み取りできる識別色で着色してなるＦＡＸシート(1)がＦＡＸ機(2)で読み取られ、ＦＡＸ機(2)でもって読み取られたマークシート部(1A)と表示部(1B)のデータがＦＡＸサーバ(3)に伝送され、ＦＡＸサーバ(3)が、識別色で着色されたマークシート部(1A)の送信グループ特定領域(11)を認識してメール情報を送信するメールグループを特定し、特定されたメールグループの携帯電話機(5)に、記憶しているメールアドレスでもってメール情報を送信するようにしてなるＦＡＸ送信システム。
【請求項２】
ＦＡＸシート(1)が上下方向を識別する上下識別コード(15)をＦＡＸ機(2)が読み取りできる識別色のインクで印刷している請求項１に記載されるＦＡＸ送信システム。
【請求項３】
ＦＡＸシート(1)のマークシート部(1A)が、縦横に分割して複数のメールグループ特定領域(10)を設けてなる請求項１に記載されるＦＡＸ送信システム。
【請求項４】
ＦＡＸシート(1)の各々のメールグループ特定領域(10)に、ドロップアウトインクでもって輪郭線(13)が印刷されており、さらにこの輪郭線(13)の内側には、ドロップアウトインクでメールグループ名(14)を印刷してなる請求項１に記載されるＦＡＸ送信システム。
【発明の詳細な説明】
【技術分野】
【０００１】
本発明は、ユーザーからＦＡＸされる情報を、特定のメールグループの携帯電話機にメールするＦＡＸ送信システムに関する。
【背景技術】
【０００２】
特定のユーザーからＦＡＸされる情報を、特定のメールグループに含まれる複数の携帯電話機にメールするシステムは開発されている。（特許文献１参照）
【０００３】
特許文献１に記載されるシステムは、以下のようにして、ＦＡＸされる情報を携帯電話機にメールする。契約者がＦＡＸ送信システムからチラシを送信すると、受信したＦＡＸデータからチラシの上部に設けられたマークシート部分をＯＣＲが読み取る。ＦＡＸサーバは、受信したＦＡＸデータをＦＡＸデータ格納サーバに保存する。また、ＯＣＲが読み取ったマークシート情報から、チラシタイトルを取得する。ＤＢサーバは、ＦＡＸデータ格納サーバに保存されたチラシのＦＡＸデータを閲覧可能なＷｅｂページを作成し、そのＵＲＬをＦＡＸサーバへ通知する。ＦＡＸサーバは、チラシのタイトル情報、ＵＲＬ情報をメールサーバ経由で利用者の携帯電話機へ通知する。利用者は、受信したメール内のチラシタイトルを参照し、閲覧を希望する場合にはＵＲＬに接続し、チラシを閲覧する。
【特許文献１】特開２００６−３３８５９０号公報
【発明の開示】
【発明が解決しようとする課題】
【０００４】
特許文献１のシステムは、ＦＡＸされる情報を特定の携帯電話機にメールできるので、ＦＡＸした情報を多数の携帯電話機に便利にメールできる。ただ、このシステムで特定のメールグループの携帯電話機にメールする場合、メールグループを特定するのに手間がかかる。それは、ＦＡＸシートの決められた領域にマークして、メールグループを特定するために、説明欄や表を参照して、メールグループを特定するためのマーク等を表記する必要があるからである。
【０００５】
本発明は、この欠点を解決することを目的に開発されたものである。本発明の重要な目的は、情報を送信したいメールグループを、簡単かつ容易にしかも正確に間違いなくマークシート部で特定して、特定されたメールグループの携帯電話機に確実にメールできるＦＡＸ送信システムを提供することにある。
【課題を解決するための手段】
【０００６】
本発明のＦＡＸ送信システムは、前述の目的を達成するために以下の構成を備える。
ＦＡＸ送信システムは、メール情報を送信するメールグループを特定するマークシート部１Ａとメール情報の表示部１Ｂとを有するＦＡＸシート１と、このＦＡＸシート１のマークシート部１Ａと表示部１Ｂとを読み取って、入力される電話番号で特定されるＦＡＸサーバ３に電話回線４を介してマークシート部１Ａと表示部１Ｂの読み取り情報を伝送するＦＡＸ機２と、このＦＡＸ機２から伝送される読み取り情報のマークシート部１Ａで特定されるメールグループの携帯電話機５に、記憶しているメールアドレスからＦＡＸシート１の表示部１Ｂに表示されるメール情報をインターネット６を介してメールするＦＡＸサーバ３とを備える。ＦＡＸシート１のマークシート部１Ａは、複数のメールグループ特定領域１０を有すると共に、各々のメールグループ特定領域１０にはＦＡＸ機２が読み取りできないドロップアウトインクでもって、メール情報を送信するメールグループ名１４を印刷している。ＦＡＸ送信システムは、ＦＡＸ機２が読み取りできる識別色でメールグループ特定領域１０を着色してなるＦＡＸシート１をＦＡＸ機２で読み取り、ＦＡＸ機２で読み取られたマークシート部１Ａと表示部１ＢのデータをＦＡＸサーバ３に伝送し、ＦＡＸサーバ３が、識別色で着色されたマークシート部１Ａの送信グループ特定領域１１を認識してメール情報を送信するメールグループを特定し、特定されたメールグループの携帯電話機５に、記憶しているメールアドレスでもってメール情報を送信する。
【０００７】
ＦＡＸシート１は、上下方向を識別する上下識別コード１５をＦＡＸ機２が読み取りできる識別色のインクで印刷することができる。ＦＡＸシート１のマークシート部１Ａは、縦横に分割して複数のメールグループ特定領域１０を設けることができる。ＦＡＸシート１は、各々のメールグループ特定領域１０に、ドロップアウトインクでもって輪郭線１３が印刷し、さらにこの輪郭線１３の内側に、ドロップアウトインクでメールグループ名１４を印刷することができる。
【発明の効果】
【０００８】
本発明のＦＡＸ送信システムは、情報を送信するメールグループを簡単かつ容易に、また正確に間違いなく特定して、情報をメールグループの携帯電話機にメールできる特徴がある。それは、ＦＡＸシートのマークシート部に、複数のメールグループ特定領域を設けると共に、各々のメールグループ特定領域には、ＦＡＸ機で読み取りできないドロップアウトインクでメールグループ名を印刷しているからである。ユーザーは、印刷されたメールグループ名を確認して、たとえば、「１年１組」のメールグループの携帯電話機に情報を送信したい場合は、ＦＡＸシートのマークシート部に、「１年１組」等と印刷されたメールグループ特定領域を識別色で着色して、このＦＡＸシートをＦＡＸ機でＦＡＸサーバにＦＡＸする。ＦＡＸサーバは識別色に着色された送信グループ特定領域を識別して、「１年１組」のメールグループの携帯電話機に情報をメールする。メールグループ名である「１年１組」の印刷は、ドロップアウトインクで印刷しているので、ＦＡＸ機は、ＦＡＸシートを読み取りするときに、メールグループ名の「１年１組」を読み取らず、すなわちＦＡＸ機が読み取りしてＦＡＸサーバに送信するマークシート部の読み取り情報には、メールグループ名は含まれず、１年１組のメールグループ特定領域の着色のみを読み取りする。このため、ＦＡＸサーバは、ＦＡＸ機から伝送されるマークシート部の読み取り情報から、着色されたメールグループ特定領域である送信グループ特定領域のみを正確に読み取りする。識別色に印刷されたメールグループ名は、ＦＡＸ機に読み取りされず、したがって、ＦＡＸサーバに送信されない。このため、ＦＡＸサーバの印刷されたメールグループ名による誤動作はなく、着色された送信グループ特定領域を正確に判別する。このため、ユーザーは、ＦＡＸシートに印刷されたメールグループ名を見て、正確にメールグループ特定領域に着色でき、しかも、ＦＡＸサーバは送信グループ特定領域を正確に識別して、ユーザーが特定するメールグループの携帯電話機に正確に情報を送信することができる。
【０００９】
また、本発明の請求項２のＦＡＸ送信システムは、請求項１の構成に加えて、ＦＡＸシートには、上下方向を識別する上下識別コードをＦＡＸ機が読み取りできる識別色のインクで印刷している。このＦＡＸ送信システムは、ユーザーがＦＡＸシートの上下を間違ってＦＡＸ機からＦＡＸサーバに伝送しても、ＦＡＸサーバは上下識別コードでＦＡＸシートの上下を識別して正確に情報を読み取りする。
【００１０】
さらに、本発明の請求項３のＦＡＸ送信システムは、請求項１の構成に加えて、ＦＡＸシートに、縦横に分割して複数のメールグループ特定領域を設けているので、１枚のＦＡＸシートでもって、多数のメールグループを特定して携帯電話機に情報をメールできる。
【００１１】
さらにまた、本発明の請求項４のＦＡＸ送信システムは、請求項１の構成に加えて、ＦＡＸシートの各々のメールグループ特定領域に、ドロップアウトインクで輪郭線を印刷しており、さらにこの輪郭線の内側には、ドロップアウトインクでメールグループ名を印刷している。このＦＡＸ送信システムは、ユーザーが、メールグループ名を確認し、このメールグループ名を印刷している輪郭線の内側を識別色で塗りつぶして正確にメールグループを特定できる。またＦＡＸサーバは、識別色で塗りつぶされた送信グループ特定領域を正確に識別して、特定のメールグループの携帯電話機に情報をメールできる。
【発明を実施するための最良の形態】
【００１２】
以下、本発明の実施例を図面に基づいて説明する。ただし、以下に示す実施例は、本発明の技術思想を具体化するためのＦＡＸ送信システムを例示するものであって、本発明はＦＡＸ送信システムを以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図１に示すＦＡＸ送信システムは、メール情報を送信するメールグループを特定するマークシート部１Ａとメール情報の表示部１Ｂとを有するＦＡＸシート１と、このＦＡＸシート１のマークシート部１Ａと表示部１Ｂとを読み取って、入力される電話番号で特定されるＦＡＸサーバ３に電話回線４を介して読み取り情報を伝送するＦＡＸ機２と、このＦＡＸ機２から伝送される読み取り情報からマークシート部１Ａで特定されるメールグループの携帯電話機５に、記憶しているメールアドレスから、ＦＡＸシート１の表示部１Ｂに表示されるメール情報を、インターネット６を介してメールするＦＡＸサーバ３とを備える。
【００１５】
図のＦＡＸ送信システムは、電話回線４を介してＦＡＸサーバ３に複数のＦＡＸ機２を接続している。このＦＡＸ送信システムは、各々のＦＡＸ機２から、マークシート部１Ａと表示部１Ｂの読み取り情報をＦＡＸサーバ３に送信する。ＦＡＸサーバ３は、読み取り情報を送信したＦＡＸ機２を特定するＦＡＸ機特定部７を有する。ＦＡＸ機特定部７は、読み取り情報を送信するＦＡＸ機２の電話番号からＦＡＸ機２を特定し、あるいはＦＡＸシート１に印刷している機器識別コード１２からＦＡＸ機２を特定する。ＦＡＸ機特定部７がＦＡＸシート１の機器識別コード１２からＦＡＸ機２を特定するシステムは、各々のＦＡＸ機２がＦＡＸサーバ３にＦＡＸするＦＡＸシート１に機器識別コード１２を識別色で印刷している。ＦＡＸサーバ３は、ＦＡＸ機特定部７で読み取り情報を送信するＦＡＸ機２を特定し、マークシート部１Ａの読み取り情報でもって、メールグループを特定し、特定されたメールグループの携帯電話機５にＦＡＸ機２から送信される表示部１Ｂの読み取り情報をメールする。ＦＡＸサーバ３は、読み取り情報に含まれるマークシート部１Ａの読み取り情報でメールグループを特定して、特定されたメールグループの携帯電話機５に情報を送信する。図１に示すように、ＦＡＸサーバ３に複数のＦＡＸ機２を接続するＦＡＸ送信システムは、各々のＦＡＸ機２からメールグループを特定して、特定されたメールグループの携帯電話機５にインターネット６を介して情報を送信する。このため、このＦＡＸ送信システムは、複数のユーザーがＦＡＸ機２でもって１台のＦＡＸサーバ３に読み取り情報を送信して、送信した読み取り情報から各々のＦＡＸ機２で特定される特定のメールグループの携帯電話機５にメールできる。たとえば、図１のＦＡＸ送信システムは、学校と警察署と役所などの複数カ所の各々にＦＡＸ機２を設置し、各々のＦＡＸ機２を電話回線４を介して１台のＦＡＸサーバ３に接続することができる。ＦＡＸサーバ３は、各々のＦＡＸ機２から送信されるマークシート部１Ａの読み取り情報でメールグループを特定し、特定されたメールグループの携帯電話機５に表示部１Ｂの読み取り情報をメールする。たとえば、ＦＡＸサーバ３は、学校に設置されるＦＡＸ機２から送信されるマークシート部１Ａの読み取り情報でもって学年や組を特定するメールグループを特定して、メールグループの携帯電話機５にインターネット６を介して表示部１Ｂの情報をメールする。また、警察署や役所に設置されるＦＡＸ機２から送信されるマークシート部１Ａの読み取り情報からは、地域を特定して地域別のメールグループを特定し、特定されたメールグループの携帯電話機５にインターネット６で表示部１Ｂの読み取り情報をメールする。このＦＡＸ送信システムは、複数のＦＡＸ機２を１台のＦＡＸサーバ３に接続して、各々のＦＡＸ機２から送信される読み取り情報で特定されるメールグループの携帯電話機５にメールを送信できる。したがって、種々の業者のユーザーが１台のＦＡＸサーバ３を使用して、各々が異なるメールグループの携帯電話機５に情報を送信して便利に使用できる。ただし、本発明のＦＡＸ送信システムは、ＦＡＸサーバに一台のＦＡＸ機を接続することもできる。このＦＡＸ送信システムは、ＦＡＸサーバがＦＡＸ機を特定する必要がない。
【００１６】
ＦＡＸシート１は、ユーザーが情報を送信するメールグループを特定するためのマークシート部１Ａと、携帯電話機５にメールする顔写真や注意情報を表示するための表示部１Ｂを有する。ＦＡＸシートは、１枚にマークシート部と表示部を設けることもできる。ただ、１枚のＦＡＸシート１にマークシート部１Ａを設けて、別のＦＡＸシート１に表示部１Ｂを設けることもできる。すなわち、マークシート部１Ａと表示部１Ｂを別のシートするＦＡＸシート１は、最初にマークシート部１Ａのある１枚のＦＡＸシート１を読み取りし、その後に続いて表示部１ＢのあるＦＡＸシート１を読み取りして、マークシート部１Ａと表示部１Ｂの読み取り情報をＦＡＸサーバ３に送信する。マークシート部１Ａを一枚とするＦＡＸシート１は、広い領域に複数のメールグループ特定領域１０を設けて正確にメールグループを特定できる。
【００１７】
ＦＡＸシート１のマークシート部１Ａは、情報を送信するメールグループを特定するために、複数のメールグループ特定領域１０を有する。図２のＦＡＸシート１は、縦横に分割して複数のメールグループ特定領域１０を設けている。この図のＦＡＸシート１は、縦横に６×６に分割して、３６のメールグループ特定領域１０を設けている。
【００１８】
各々のメールグループ特定領域１０には、ＦＡＸ機２が読み取りできないドロップアウトインクでもって、メール情報を送信するメールグループ名１４を印刷している。図２のＦＡＸシート１は、各々のメールグループ特定領域１０に、ドロップアウトインクでもって輪郭線１３を印刷している。さらにこの輪郭線１３の内側には、ドロップアウトインクでメールグループ名１４を印刷している。図２で示す学校で使用するＦＡＸシート１は、輪郭線１３は円形とし、円形の輪郭線１３の内側に「１年１組」「１年２組」「１年３組」・・・・「２年１組」「２年２組」・・・・「６年１組」「６年２組」・・・・等のメールグループ名１４をドロップアウトインクで印刷している。図３で示す警察所や役所で使用されるＦＡＸシート１は、各々のメールグループ特定領域１０に、四角形等からなる多角形の輪郭線１３をドロップアウトインクで印刷しており、さらにこの輪郭線１３の内側に「Ａ地区」「Ｂ地区」「Ｃ地区」・・・・等のメールグループ名１４をドロップアウトインクで印刷している。
【００１９】
このＦＡＸシート１は、ユーザーによって輪郭線１３の内側が識別色で着色される。すなわち、ユーザーは、情報を送信したいメールグループ名１４を印刷している輪郭線１３の内側を、鉛筆、ボールペン、万年筆、筆、サインペン等の筆記具で塗りつぶして、情報を送信するメールグループ名１４の印刷されたメールグループ特定領域１０を識別色で着色する。メールグループ特定領域１０が識別色で着色されると、情報を送信するメールグループを明記するメールグループ名１４は識別色で隠蔽されて見えなくなる。本発明のＦＡＸ送信システムは、ＦＡＸ機２でメールグループ名１４を読み取りして、ＦＡＸサーバ３に送信する必要がない。したがって、メールグループ名１４が識別色で隠蔽されても、ＦＡＸシート１の情報は、ユーザーが送信したい特定メールグループの携帯電話機５に送信される。
【００２０】
さらに、図２と図３に示すＦＡＸシート１は、上下方向を識別する上下識別コード１５を、ＦＡＸ機２が読み取りできる識別色のインクで印刷している。上下識別コード１５は、ＦＡＸシート１の上側又は下側のいずれかに印刷される。図のＦＡＸシート１は、下側に上下識別コード１５を印刷している。このＦＡＸシート１は、ユーザーがＦＡＸシート１を上下逆にしてＦＡＸしても、ＦＡＸサーバ３でＦＡＸシート１の上下を正確に判別できる。ＦＡＸサーバ３が上下識別コード１５でＦＡＸシート１の上下を特定できるからである。さらに、上下識別コード１５は、ＦＡＸ機２を特定する機器識別コード１２とすることもできる。上下識別コード１５を機器識別コード１２とするＦＡＸシート１は、ＦＡＸ機２からＦＡＸサーバ３に送信されると、ＦＡＸサーバ３でもって、ＦＡＸシート１を送信したＦＡＸ機２を特定できる。
【００２１】
以上のＦＡＸシート１はＦＡＸ機２で読み取られる。ＦＡＸ機２は、ＦＡＸシート１を読み取りして、マークシート部１Ａと表示部１Ｂの読み取り情報をＦＡＸサーバ３に伝送する。ＦＡＸ機２は、読み取り情報を電気信号に変換して電話回線４でもってＦＡＸサーバ３に送信する。さらに、ＦＡＸ機２は、読み取り情報を送信するＦＡＸサーバ３を特定するために、電話番号を入力するテンキー（図示せず）を備える。ユーザーはテンキーから、読み取り情報を送信するＦＡＸサーバ３の電話番号を入力する。ＦＡＸ機２は、テンキーから入力される電話番号のＦＡＸサーバ３に読み取り情報を送信する。このＦＡＸ機２は専用の機器とする必要はなく、すでに使用している市販のＦＡＸ機２を使用することができる。
【００２２】
ＦＡＸサーバ３は、ＦＡＸ機２から送信されるマークシート部１Ａの読み取り情報から情報を送信するメールグループを判別する。ＦＡＸサーバ３は、読み取り情報でもって、識別色で着色されたメールグループ特定領域１０を送信グループ特定領域１１として認識して、情報を送信するメールグループを識別する。特定されたメールグループにインターネット６で情報を送信するために、ＦＡＸサーバ３は、各々のＦＡＸ機２に対応する複数のメールアドレスをメモリ８に記憶している。たとえば、学校のＦＡＸ機２に対応する複数のメールアドレスとして、「１年１組のメールグループのメールアドレス」、「１年２組のメールグループのメールアドレス」などを記憶している。また警察署や役所のＦＡＸ機２に対応するメールアドレスとして、「Ａ地区のメールグループのメールアドレス」「Ｂ地区のメールグループのメールアドレス」「Ｃ地区のメールグループのメールアドレス」等を記憶している。
【００２３】
ＦＡＸサーバ３は、ＦＡＸ機２から読み取り情報を受信すると、ＦＡＸ機特定部７で読み取り情報を送信したＦＡＸ機２を特定する。さらに、ＦＡＸサーバ３は、マークシート部１Ａの読み取り情報から、識別色で着色された送信グループ特定領域１１を認識して、情報を送信するメールグループを特定する。メールグループが特定されると、メモリ８に記憶される特定メールグループのメールアドレスの携帯電話機５に、表示部１Ｂの読み取り情報をインターネット６で送信する。携帯電話機５のユーザーは、送信された情報を見て確認する。
【００２４】
以上のＦＡＸ送信システムは、学校、警察署、役所などで便利に使用される。学校や警察署では、たとえば、特定のメールグループの携帯電話機５に、不審者や容疑者などの顔写真等をメールする。たとえば、「１年１組」のメールグループや「Ｂ地区」のメールグループの携帯電話機５に顔写真をメールする場合、以下のステップで顔写真がメールされる。
（１）ユーザーがＦＡＸシート１のマークシート部１Ａに設けたメールグループ特定領域１０を識別色で着色する。ＦＡＸシート１には、メールグループ名１４をドロップアウトインクで印刷しているので、ユーザーは、たとえば、図２に示すように「１年１組」と印刷されるメールグループ特定領域１０、あるいは、図３に示すように「Ｂ地区」と印刷されるメールグループ特定領域１０を鉛筆等の筆記具で塗りつぶす。さらに、ＦＡＸシート１の表示部１Ｂには、顔写真をコピーする。
（２）ＦＡＸシート１をＦＡＸ機２で読み取り、読み取り情報を電話回線４でＦＡＸサーバ３に送信する。このとき、ユーザーは、テンキーでＦＡＸサーバ３の電話番号を入力し、読み取り情報を電話番号で特定されるＦＡＸサーバ３に送信する。
（３）読み取り情報を受信したＦＡＸサーバ３は、ＦＡＸ機特定部７で送信したＦＡＸ機２を特定すると共に、マークシート部１Ａの読み取り情報でもって、識別色で着色された送信グループ特定領域１１の場所からメールグループを特定する。メールグループが特定されると、メモリ８に記憶されるメールアドレスから、特定されメールグループのメールアドレスを特定し、特定されたメールアドレスの携帯電話機５にインターネット６で表示部１Ｂの情報、すなわち顔写真をメールする。
（４）携帯電話機５のユーザーは、メールされた情報、すなわち表示部１Ｂの情報である顔写真を確認する。
【図面の簡単な説明】
【００２５】
【図１】本発明の一実施例にかかるＦＡＸ送信システムを示す概略構成図である。
【図２】ＦＡＸシートのマークシート部の一例を示す図である。
【図３】ＦＡＸシートのマークシート部の他の一例を示す図である。
【符号の説明】
【００２６】
１…ＦＡＸシート          １Ａ…マークシート部
１Ｂ…表示部
２…ＦＡＸ機
３…ＦＡＸサーバ
４…電話回線
５…携帯電話機
６…インターネット
７…ＦＡＸ機特定部
８…メモリ
１０…メールグループ特定領域
１１…送信グループ特定領域
１２…機器識別コード
１３…輪郭線
１４…メールグループ名
１５…上下識別コード
【図１】
2008193615.tif 000003
【図２】
2008193615.tif 000004
【図３】
2008193615.tif 000005